(57)【要約】【課題】薄型かつ省電力を両立することができるとともに、ローカルディミングなどの部分駆動方式において、輝度均一性に優れたバックライトユニットを提供する。【解決手段】表示パネル１０の背面に対向して配置され、表示パネル１０に光を照射するバックライトユニット１２であって、表示パネルに向けて光を出射する複数の点光源２２と、点光源と表示パネルとの間に配設される導光板２６であって、点光源側の第１表面２６ａと、表示パネル側の第２表面２６ｂと、それぞれ点光源上で第２表面に形成され光を拡散する複数の凹部３２と、を有する導光板と、を備えている。【選択図】    図２
2010153257.tif 000002
【特許請求の範囲】
【請求項１】
表示パネルの背面に対向して配置され、前記表示パネルに光を照射するバックライトユニットであって、
前記表示パネルに向けて光を出射する複数の点光源と、
前記点光源と表示パネルとの間に配設される導光板であって、前記点光源側の第１表面と、前記表示パネル側の第２表面と、それぞれ前記点光源上で前記第２表面に形成され光を拡散する複数の凹部と、を有する導光板と、
を備えたバックライトユニット。
【請求項２】
前記凹部は、前記表示パネル側を底面とする略円錐状または多角錐状に形成されている請求項１に記載のバックライトユニット。
【請求項３】
前記凹部は、この凹部の中心と前記点光源の発光中心とが整列して設けられている請求項１又は２に記載のバックライトユニット。
【請求項４】
前記導光板の材料の屈折率をｎ、前記導光板の第２表面と前記点光源との距離をＬ、前記点光源の出射領域の大きさをａ、前記凹部の開口径をｂとすると、開口径ｂは、  
ｂ ≧ (ａ ＋ ２ ｘ Ｌ ｘ ｔａｎθ) ｘ ０．８ ≧ ｂ／３  
ここで、ｓｉｎθ＝１／ｎ  
に形成されている請求項１ないし３のいずれか１項に記載のバックライトユニット。
【請求項５】
前記点光源は前記導光板に光学的に接合されている請求項１に記載のバックライトユニット。
【請求項６】
前記導光板の凹部の全面または一部に形成され、光を反射する反射膜を備えている請求項１ないし５のいずれか１項に記載のバックライトユニット。
【請求項７】
前記反射膜は光の一部を透過する反射膜である請求項６に記載のバックライトユニット。
【請求項８】
前記反射膜は、前記導光板上に直接形成された反射膜である請求項６に記載のバックライトユニット。
【請求項９】
前記反射膜は、光を透過する光透過領域と光を反射する光反射領域とを有している請求項７に記載のバックライトユニット。
【請求項１０】
前記導光板は、前記第１表面および第２表面の全面もしくは一部に、均一もしくは不均一に形成された多数の凹凸部を有している請求項１ないし９のいずれか１項に記載のバックライトユニット。
【請求項１１】
前記導光板と前記表示パネルとの間に配設され、光の一部を透過する光反射シートを備えている請求項１に記載のバックライトユニット。
【請求項１２】
前記導光板の前記第２表面の全面または一部に形成され、光の一部を透過する反射膜を有している請求項１に記載のバックライトユニット。
【請求項１３】
前記導光板と前記表示パネルとの間に光を拡散する光拡散シートが配置され、前記光拡散シートに光の一部を透過する反射膜が形成されている請求項１に記載のバックライトユニット。
【請求項１４】
映像輝度信号に基づき、前記点光源の発光量を、前記点光源毎、もしくは隣接する複数の点光源を１ユニットとするユニット毎に部分調整する発光量調整部を備えている請求項１ないし１３のいずれか１項に記載のバックライトユニット。
【請求項１５】
液晶表示パネルと、
前記液晶表示パネルの背面に対向して配置され、前記液晶表示パネルに光を照射する請求項１ないし１４のいずれか１項に記載のバックライトユニットと、
を備えた液晶表示装置。
【発明の詳細な説明】
【技術分野】
【０００１】
本発明は、光源と導光板とを備え、液晶表示装置等のバックライトとして用いられるバックライトユニット、およびこれを備えた液晶表示装置に関する。
【背景技術】
【０００２】
通常、液晶表示装置は、液晶表示パネルと、この液晶表示パネルを照明するバックライトユニットとを備えている。大型の液晶表示装置では直下型のバックライトが、また、中小型の液晶表示装置では導光板方式によるバックライトが主流となっている。
【０００３】
近年、大型液晶表示装置は薄型化の傾向が高まり、直下型のバックライトユニットでは、部品数を統合することによる薄型化が行われている。しかし、直下型のバックライトユニットは光源の光を均一に拡散させる必要があり、光源と拡散板との間に一定以上の間隔を設ける必要がある。その結果、直下型の大型液晶表示装置においては、原理的にバックライトユニットの薄型化に限界がある。
【０００４】
一方、導光板方式によるバックライトユニットにおいて、光源は導光板の周りに配置され、画面の額縁部に配置される。そのため、導光板方式のバックライトユニットは直下型よりも容易に薄型化することができる。導光板方式のバックライトユニットを大型液晶表示装置に使用する試みも行われているが、大型の導光板を形成することに技術的な課題がある。また、導光板方式のバックライトユニットとして、導光板の背面側に点光源を設けたものが提案されている（例えば、特許文献１）。
【０００５】
また、薄型化とは別に液晶表示装置の省電力化も重要な課題となっている。バックライトの光源が冷陰極蛍光ランプ（ＣＣＦＬ）から発光ダイオード（ＬＥＤ）に置き換わることに伴い、光源の調光を行うことにより、省電力化を図る試みがなされている。特に、液晶表示装置の高コントラスト化、低消費電力化が可能となる技術として、ローカルディミング技術が知られている（非特許文献１）。
【０００６】
これは、液晶パネルを複数の分割領域に分割するとともに分割領域毎に光源を設け、各分割領域の表示輝度レベルに応じて各光源の輝度レベルを調整する駆動方式である。この駆動方式を用いることにより、液晶表示装置の省電力化に加え、コントラストが向上し、表示品位の向上にも貢献することができる。
【０００７】
このような薄型化と省電力とを両立する大型液晶表示装置用のバックライトシステムとして、例えば多数の導光板と多数の光源とを面内に配列したバックライトシステムが提案されている（特許文献２）。
【特許文献１】特開２００８−２７８８６
【非特許文献１】Seetzen et al.,ACM Trans. Graph.23,3,pp.760-768,2004
【特許文献２】特開２００７−２９３３３９号公報
【発明の開示】
【発明が解決しようとする課題】
【０００８】
導光板方式によるバックライトユニットにおいては直下型よりも薄型化することが容易である。しかしながら、導光板方式では、光源を導光板の周りに設置する必要があり、光源をマトリックス状に配列した場合、輝度の均一性を達成する事が困難となる。すなわち、導光板方式ではローカルディミングに対応することが困難となる。
【０００９】
このように、薄型化・輝度の均一化・省電力化を同時に達成する大型液晶表示装置用のバックライトユニットが望まれているが、現状では、これらの特性を同時に満足するバックライトユニットは提供されていない。
【００１０】
この発明は以上の点に鑑みなされたもので、その目的は、薄型かつ省電力を両立することができるとともに、ローカルディミングなどの部分駆動方式において、輝度均一性に優れた高品質なバックライトユニットおよびこれを備えた液晶表示装置を提供することにある。
【課題を解決するための手段】
【００１１】
この発明の態様に係るバックライトユニットは、表示パネルの背面に対向して配置され、前記表示パネルに光を照射するバックライトユニットであって、前記表示パネルに向けて光を出射する複数の点光源と、前記点光源と表示パネルとの間に配設される導光板であって、前記点光源側の第１表面と、前記表示パネル側の第２表面と、それぞれ前記点光源上で前記第２表面に形成され光を拡散する複数の凹部と、を有する導光板と、を備えている。
【００１２】
この発明の他の態様に係る液晶表示装置は、液晶表示パネルと、前記液晶表示パネルの背面に対して配置され、前記液晶表示パネルに光を照射するバックライトユニットと、を備え、前記バックライトユニットは、前記液晶表示パネルに向けて光を出射する複数の点光源と、前記点光源と表示パネルとの間に配設される導光板であって、前記点光源側の第１表面と、前記表示パネル側の第２表面と、前記点光源上で前記第２表面に形成され光を拡散する凹部と、を有する導光板と、を備えている。
【発明の効果】
【００１３】
上記構成によれば、薄型かつ省電力を両立することができるとともに、ローカルディミングなどの部分駆動方式において、輝度均一性に優れた高品質なバックライトユニットおよびこれを備えた液晶表示装置を提供することができる。
【発明を実施するための最良の形態】
【００１４】
以下、図面を参照しながら、この発明の実施形態に係るバックライトユニットを備えた液晶表示装置について詳細に説明する。  
図１は、この発明の第１の実施形態に係るバックライトユニットを備えた液晶表示装置を示す分解斜視図、図２は液晶表示装置の断面図である。
【００１５】
図１および図２に示すように、液晶表示装置は、矩形状の液晶表示パネル１０、およびこの液晶表示パネル１０の背面側に対向して配設されたバックライトユニット１２を備えている。液晶表示パネル１０は、矩形状のアレイ基板１５、アレイ基板１５と隙間を置いて対向配置された矩形状の対向基板１４、およびこれらアレイ基板１５と対向基板１４との間に封入された液晶層１６を備えている。バックライトユニット１２は、液晶表示パネル１０のアレイ基板１５と隣接対向して設けられている。
【００１６】
バックライトユニット１２は、矩形状の回路基板２４と、この回路基板２４の上面に形成され光を乱反射あるいは拡散反射する下面反射膜２３と、下面反射膜２３を介して回路基板２４上に配設された多数のＬＥＤ２２と、ＬＥＤ２２の上方に配設され下面反射膜２３と隙間を置いて対向した矩形状の導光板２６と、この導光板２６と液晶表示パネル１０との間に配設された光拡散シート２７と、を備えている。導光板２６は、図示しない支持部材によって支持され、下面反射膜２３と平行に対向して保持されている。下面反射膜２３、導光板２６、および光拡散シート２７は、液晶表示パネル１０とほぼ等しい大きさに形成されている。
【００１７】
多数のＬＥＤ２２は、回路基板２４上に格子状に並んで実装され、回路基板２４に電気的に接続されている。点光源として機能する各ＬＥＤ２２は、導光板２６および液晶表示パネル１０に向けて光を照射する。
【００１８】
図３は、導光板２６およびＬＥＤ２２の一部を拡大して示す断面図である。図１、図２、および図３に示したように、導光板２６は、透明な樹脂により形成されている。導光板２６は、互いに平行に対向した下面２６ａおよび上面２６ｂを有している。導光板２６の界面の全面あるいは一部に亘って、凹凸部が形成されている。本実施形態では、ＬＥＤ２２と対向する導光板２６の下面（第１表面）２６ａの全面に亘って、多数の球状の凸部３０が均一にあるいは不均一に形成されている。  
複数のＬＥＤ２２は、それぞれ凸部３０から外れた位置で導光板２６の下面に当接して設けられ、導光板２６と光学的に接続されている。
【００１９】
液晶表示パネル１０側に位置した導光板２６の上面（第２表面）２６ｂには、複数の凹部３２が格子状に形成されている。各凹部３２は例えば、液晶表示パネル１０側を底面とするほぼ円錐形状に形成されている。複数の凹部３２は、それぞれ対応するＬＥＤ２２の直上に位置し、すなわち、導光板２６の厚さ方向に沿ってＬＥＤ２２と並んで設けられ、凹部３２の中心、ここでは、凹部３２の頂点と、ＬＥＤ２２の発光中心とが整列している。ＬＥＤ２２から出射され、導光板２６を通して凹部３２に入射した光の大部分は、凹部３２の界面で反射され、ＬＥＤ２２の外側かつ導光板２６の下面側に伝搬する。また、凹部３２に入射した光の一部は凹部３２を通り、表示パネル１０側へ出射される。
【００２０】
各凹部３２の大きさおよび深さｄは以下のように形成されている。導光板２６の材料の屈折率をｎ、導光板２６の第２表面２６ｂとＬＥＤ２２の出射面との距離をＬ、ＬＥＤの出射領域２２ａの大きさをａ、凹部３２の開口径をｂとすると、開口径ｂは、  
ｂ ≧ (ａ ＋ ２ ｘ Ｌ ｘ ｔａｎθ)  
ここで、ｓｉｎθ（臨界角）＝１／ｎ  
に形成されている。
【００２１】
凹部３２を上記の大きさとすることにより、ＬＥＤ２２から出射する光の内、少なくとも臨界角θ以下の角度で出射する光はほぼ全て凹部３２に入射し、凹部の界面により大部分が反射され、一部のみが凹部を透過する。ＬＥＤ２２から出射する光の内、臨界角θよりも大きな角度で出射する光は、凹部３２の外側で導光板２６の上面２６ｂに入射し、ここで全反射され、下面２６ａ側へ導かれる。
【００２２】
なお、凹部３２のサイズは、必ずしも上記条件に限定されるものではなく、後述する反射膜５の透過率や、ＬＥＤ２の配光分布などにも依存する。好ましくは、  
ｂ ≧ ( ａ ＋ ２ ｘ Ｌ ｘ ｔａｎθ ) ｘ ０．８ ≧ ｂ／３  
とする事により、導光板２６の全面に亘ってほぼ均一な輝度分布を得ることが出来る。
【００２３】
凹部３２の深さｄは、導光板２６の厚さをＬとした場合、Ｌの２０〜８０％に形成されている。凹部３２の深さｄが、Ｌの２０％よりも浅い場合、凹部３２による光の反射、拡散作用を充分に発揮することが難しい。凹部３２の深さｄが、厚さＬの８０％よりも深い場合、凹部３２の界面で反射した光がＬＥＤ２２側に伝搬してＬＥＤ２２に吸収されるなどし、その結果、バックライトユニットからの照明が暗くなる可能性がある。また、凹部３２の深さｄが深すぎると、導光板２６の機械的強度が低下する。
【００２４】
本実施形態によれば、各凹部３２の全面あるいは一部には、光を正反射するは反射膜５が形成されている。反射膜５は、光を正反射する反射領域と光の一部を透過する光透過領域とを有している。凹部３２を透過した光の一部は、反射膜５により反射され、導光板２６内へ戻される。
【００２５】
図１に示すように、バックライトユニット１２は、ＬＥＤ２２の点灯を制御する制御部４０を有している。この制御部４０は、回路基板２４に接続されているとともに、液晶表示装置の図示しない主制御部に接続されている。制御部４０は、液晶表示装置の主制御部から送られた映像輝度信号に基づき、ＬＥＤ２２毎に、あるいは、隣接する複数のＬＥＤ２２を１ユニットとして、この１ユニット毎に、発光量を調整する発光量調整部４２を備えている。すなわち、制御部４０は、複数のＬＥＤ２２を個別に駆動することによって、映像情報に合わせてバックライトユニット１２の調光を行う。
【００２６】
このように構成されたバックライトユニット１２において、ＬＥＤ２２を点灯することにより、ＬＥＤ２２から出射された光は導光板２６に入光する。その光は導光板２６内を伝播した後、一部は、導光板の上面２６ｂから出射され、更に、光拡散シート２７で拡散された後、液晶表示パネル１０に照射される。残りの光は、主に導光板２６の下面２６ａと上面２６ｂとの間で反射を繰り返した後、導光板２６を通して出射され、更に、光拡散シート２７を介して液晶表示パネル１０に照射される。
【００２７】
上記構成のバックライトユニット１２によれば、複数のＬＥＤ２２と、これらのＬＥＤ２２上に配設された導光板２６および光拡散シート２７と、を備えた構成であることから、通常の直下型のバックライトユニットに比較して、薄型化を図ることができる。バックライトユニット１２において、通常、ＬＥＤ２２から出射する光量は、ＬＥＤ２２の直頂部(中央部)が大きいため、この部分の輝度が大きくなってしまう。しかし、上記構成のバックライトユニット１２では、導光板２６は、ＬＥＤ２２上に位置した凹部３２を有し、ＬＥＤ２２から出射された光の一部を凹部３２の界面および反射膜５により横方向に反射され、導光板２６内部を伝播した後、導光板２６の上面から出射される。そのため、ＬＥＤ２２直上の輝度を低減し、導光板２６およびバックライトユニットの全面にわたって均一な輝度分布を得ることが出来る。
【００２８】
また、導光板２６の下面には光を拡散反射する複数の凸部３０が形成され、下面反射膜２３は、光を拡散反射する反射膜として形成されているため、これらの部分で光の角度が変化し、光の方向がミキシングされる。これにより、導光板２６に入射する光の配光分布は、大きな広がりをもった分布となる。従って、バックライトユニット１２は、どの方向からみても輝度ムラのない均一な輝度特性を得ることができる。
【００２９】
バックライトユニット１２においては、ＬＥＤ２２の各々について同じ輝度分布が得られるため、ローカルディミング駆動を達成できる。なお、駆動エリア単位については、１つのＬＥＤ２２毎に部分駆動してもよいし、隣接する複数のＬＥＤ２２を１ユニットとしたユニット毎に部分駆動してもよく、画面のサイズや駆動回路との相性などにより適宜選択すればよい。
【００３０】
以上のことから、薄型、省電力かつ高コントラスト比を両立することができるとともに、ローカルディミング駆動において、発光領域の輝度の均一性に優れたバックライトユニットが得られる。また、導光板２６により発光領域の輝度分布を均一にすることにより、バックライトユニットの発光効率を１０％程度向上することができる。このバックライトユニットを液晶表示装置に適用することにより、高コントラスト、低消費電力、かつ薄型を満たす高品質な大画面液晶表示装置を提供することができる。
【００３１】
なお、本実施形態において、凹部３２の形状を円錐型とし、そのテーパー面により光を横方向に反射させる構成としているが、ＬＥＤ２２の形状や配置、あるいは配光分布などによっては、四角錐などの多角錐の方が好ましい場合もある。また、凹部３２は、多段型の構造としてもよく、特に、上述の円錐型に限定されるものではない。
【００３２】
導光板２６の界面に形成された凸部３０は、光の反射方向を変える事が目的で設けられているため、その形状や出っ張り方向にこだわるものではなく、例えば、円錐形状や角錐形状でもよく、また凹状としてもよい。更に、凹凸の複合型でもよく、また、不均一な配置としてもよく、加工のし易さや光の拡散度合いなどに応じて適宜選択すればよい。
【００３３】
本実施形態では、反射膜５は正反射面とし、光の一部を透過する光透過領域が形成された構造としているが、例えば、酸化チタンで形成された反射膜を凹部３２の全面に形成することにより、光の一部を透過する拡散反射膜が形成される。このような構造とすることにより、正反射に比べ光の伝播効果は低くなり輝度均一性は若干劣化するが、正反射膜に比べ光の吸収は小さくなる。よって、この構造は、消費電力を重視するような製品には適する。製品の用途などにより、反射膜５の反射種類を適宜選択すればよく、正反射に限定されるものではない。なお、反射膜５を省略してもよく、この場合でも、凹部３２により、輝度の均一化を図ることできる。
【００３４】
反射膜５は凹部３２を規定している表面に直接形成されているが、特にこの構造に限定されものではなく、凹部３２上に薄い反射シートを配設する構造としてもよい。この場合、光の吸収の少ない正反射面を形成できるという利点がある。
【００３５】
導光板２６と液晶表示パネル１０と間に光拡散シート７を設けているが、これは、導光板２６から出射した光の輝度ムラ補正が目的であるため、導光板２６のみで輝度均一性が確保できる場合、光拡散シート７を省略することが可能である。
【００３６】
本実施形態では、ＬＥＤ２２と導光板２６とは光学的に接合されているが、特にこの構造に限定されるものではない。ＬＥＤ２と導光板３とを光学的に分離して配置する構成としてもよい。この場合、バックライトユニットの組立が容易となり、例えば、比較的小さい汎用品に適した構成となる。ＬＥＤ２２と導光板２６とを光学的に接合するか、分離するかは、製品の用途などにより適宜選択すればよい。
【００３７】
次に、この発明の他の実施形態に係るバックライトユニットについて説明する。  
図４は、第２の実施形態に係る液晶表示装置を示す断面図、図５は、反射シートの一部を拡大して示す平面図である。図４に示すように、バックライトユニット１２は、導光板２６と光拡散シート２７との間に設けられた反射シート１１を備えている。液晶表示装置の他の構成は、前述した第１の実施形態と同一であり、同一の部分には同一の参照符号を付してその詳細な説明を省略する。
【００３８】
反射シート１１は、導光板２６の全面とほぼ平行に対向して配設されている。図４および図５に示すように、反射シート１１には、それぞれ光を透過する多数の円形の光透過孔１８が形成されている。また、反射シート１１の導光板２６側の表面には、反射膜２１が形成されている。これにより、反射シート１１は、光透過孔１８により、光の一部を透過する透過領域を形成し、他の部分は、光を正反射する反射領域を形成している。
【００３９】
図５に示すように、反射シート１１は、ＬＥＤ２２から離れた部分に比べＬＥＤ２２の直頂部(中央部)の光の透過割合が小さく形成されている。すなわち、反射シート１１において、ＬＥＤ２２から離れた部分(端部)に比べＬＥＤ２２上部(中央部)の光透過孔１８の間隔が大きく形成されている。ここでは、複数の光透過孔１８は、それぞれ同一の径に形成されている。光透過孔１８の配列ピッチは、ＬＥＤ２２から離れた部分に比べ、ＬＥＤ２２の上部の方が大きくなっている。そのため、反射シート１１は、ＬＥＤ２２直上部の光の透過率が小さくなり、バックライトユニット１２の輝度の不均一性をさらに改善することが可能となる。特に、ＬＥＤ２２の配置間隔が大きい場合、輝度均一性のコントロールが難しくなるが、上記構成は輝度均一化に有効な手段となる。
【００４０】
上記のように構成されたバックライトユニット１２によれば、第１の実施形態と同様に、導光板２６および反射シート１１を透過後の光は、全面にわたって均一な輝度分布を得ることができる。その他、第２の実施形態においても、前述した第１の実施形態と同様の作用効果を得ることができる。
【００４１】
なお、本実施形態では、反射膜２１の反射種類に関して特にこだわるものではなく、正反射や拡散反射やそれらが複合した反射などどれも適用可能であることは言うまでもない。  
上述した第２の実施形態では、光透過孔１８のピッチの粗密により、反射シート１１の光の透過率を制御しているが、この構造に限定されるものではない。複数の光透過孔１８の配列ピッチを一定とし、孔径や孔形状などの孔面積で反射シート１１の透過率を制御してもよい。例えば、複数の光透過孔１８の配列ピッチを一定とし、発光領域の中央部に位置した光透過孔１８の径を小さく、発光領域の端部に行くほど、光透過孔１８の径を大きく形成するようにしてもよい。また、光透過孔１８のピッチと孔面積を組み合わせて制御するように構成しても、同じ効果が得られる。
【００４２】
光透過孔１８の形状は、円形に限定されるものではなく、四角形や楕円形など、他の形状としてもよく、光透過孔１８の加工性などを考慮して適宜選択すればよい。また、上述した実施形態では、反射シート１１の光透過率を各発光領域の中央部と端部とで変化させているが、例えば、ＬＥＤ２２の配置間隔が狭い場合、あるいは、配光角の広いＬＥＤなどを使用する場合、反射シート１１の全面に亘って光透過孔を均一な径および均一なピッチとしてもよく、ＬＥＤ２２の間隔や配光特性などにより適宜選択すればよい。
【００４３】
次に、この発明の第３の実施形態に係る液晶表示装置について説明する。  
図６は、第３の実施形態に係る液晶表示装置の断面図である。本実施形態によれば、バックライトユニット１２は、導光板２６の液晶表示パネル１０側の第２表面２６ｂの凹部３２を含む全面に形成された反射膜５を有している。この反射膜５は、光を正反射する反射領域と光の一部を透過する光透過領域とを有している。液晶表示装置の他の構成は、前述した第１の実施形態と同一であり、同一の部分には同一の参照符号を付してその詳細な説明を省略する。
【００４４】
上記のように構成されたバックライトユニット１２によれば、導光板２６上の全面にわたり反射膜５を設けることにより、輝度の均一性をさらに改善することが可能となる。その他、第３の実施形態においても、第１の実施形態と同様の作用効果を得ることができる。
【００４５】
次に、この発明の第４の実施形態に係る液晶表示装置について説明する。  
図７は、第４の実施形態に係る液晶表示装置の断面図である。本実施形態によれば、バックライトユニット１２は、光拡散シート２７の下面、すなわち、導光板２６と対向する表面に形成された下面反射膜３４を有している。この下面反射膜３４は、光を正反射する反射領域と光の一部を透過する光透過領域とを有している。液晶表示装置の他の構成は、前述した第１の実施形態と同一であり、同一の部分には同一の参照符号を付してその詳細な説明を省略する。
【００４６】
上記のように構成されたバックライトユニット１２によれば、導光板２６の第２表面２６ｂと対向する下面反射膜３４を設けることにより、輝度の均一性をさらに改善することが可能となる。その他、第４の実施形態においても、第１の実施形態と同様の作用効果を得ることができる。
【００４７】
下面反射膜２４は、光を正反射する構成としたが、これは、光をより端部にまで拡散させるためである。例えば、ＬＥＤ２２の間隔が狭い構成の場合などは、より光をミキシング出来る拡散反射が好ましく、下面反射膜３４の反射の種類については、正反射に限定されるものではない。
【００４８】
この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４９】
前述した各実施形態において、ＬＥＤ２２側に設けられた下面反射膜２３は、光を拡散反射する構成としたが、表示装置の種類によっては、より正面の輝度を向上させたい場合もあり、この場合は、光を正反射する成分が多い反射膜が好ましい。下面反射膜の反射の種類は、拡散反射に限定されるものではない。
【００５０】
点光源としてのＬＥＤ２２は、白色のものでも、単色のものでも適用可能であり、ＬＥＤ２２の種類に関して限定を受けるものではない。例えば、単色のＬＥＤでカラー表示を行う場合には、図８に示すように、赤（Ｒｅｄ）、青（Ｂｌｕｅ）、緑（Ｇｒｅｅｎ）を発光する３つのＬＥＤ２２を隣り合わせて配置することにより、色ずれのない均一な輝度分布を得ることができる。この場合、３つのＬＥＤ２２を１つの光源ユニットとし、この光源ユニットの中心Ｃと、導光板２６に形成された凹部３２の中心とが一致するように、ＬＥＤおよび導光板を配置する。
【図面の簡単な説明】
【００５１】
【図１】図１は、この発明の第１の実施形態に係るバックライトユニットを備えた液晶表示装置を示す分解斜視図。
【図２】図２は、前記液晶表示装置の断面図。
【図３】図３は、前記バックライトユニットの導光板の一部およびＬＥＤを拡大して示す断面図。
【図４】図４は、この発明の第２の実施形態に係る液晶表示装置を示す断面図。
【図５】図５は、第２の実施形態に係る液晶表示装置におけるバックライトユニットの反射シートの一部を示す平面図。
【図６】図６は、この発明の第３の実施形態に係る液晶表示装置を示す断面図。
【図７】図７は、この発明の第４の実施形態に係る液晶表示装置を示す断面図。
【図８】図８は、この発明の他の実施形態に係るバックライトユニットの光源配置を概略的に示す平面図。
【符号の説明】
【００５２】
５…反射膜、１０…液晶表示パネル、１１…反射シート、
１２…バックライトユニット、２２…ＬＥＤ、２３…下面反射膜、２４…回路基板、
２６…導光板、２６ａ…第１表面、２６ｂ…第２表面、２７…光拡散シート、
３０…凸部、３２…凹部、
【図１】
2010153257.tif 000003
【図２】
2010153257.tif 000004
【図３】
2010153257.tif 000005
【図４】
2010153257.tif 000006
【図５】
2010153257.tif 000007
【図６】
2010153257.tif 000008
【図７】
2010153257.tif 000009
【図８】
2010153257.tif 000010